(57)【要約】【課題】事前に監視対象となる箇所又は取得する情報の種類を特定することなく、所望箇所における所望種類の情報を必要に応じて取得することができる、繊維機械、繊維機械システム、状態取得装置及び繊維処理ユニットを提供する。【解決手段】自動ワインダ１は、ワインダユニット１０の状態を取得する状態取得装置７０と、ワインダユニットにおいて状態取得装置が取り付けられる被取付部９０Ａ，９０Ｂと、機台フレーム１Ａにおいて状態取得装置が取り付けられる被取付部９０Ｃと、を備える。状態取得装置は、互いに異なる種類の情報を取得する音取得部７７、振動取得部７８及び温度取得部７９と、音取得部、振動取得部及び温度取得部を収容するケーシング７１と、ケーシングに設けられ、被取付部に着脱自在に取り付けることができる取付部７３と、を有している。【選択図】図４
2017065897.tif 000002
【特許請求の範囲】
【請求項１】
並んで設けられる複数の繊維処理ユニットと、前記複数の繊維処理ユニットに共通して設けられる共通装置と、を備えた繊維機械であって、
前記繊維処理ユニットの状態及び／又は前記共通装置の状態を取得することができる状態取得装置と、
前記繊維処理ユニット及び／又は前記共通装置における複数箇所に設けられ、前記状態取得装置が取り付けられる被取付部と、を備え、
前記状態取得装置は、
互いに異なる種類の情報を取得する複数の情報取得部と、
前記複数の情報取得部を収容するケーシングと、
前記ケーシングに設けられ、前記被取付部に着脱自在に取り付けることができる取付部と、を有している、繊維機械。
【請求項２】
前記被取付部は、一の前記繊維処理ユニットに複数設けられている、請求項１記載の繊維機械。
【請求項３】
前記状態取得装置は、前記繊維処理ユニット又は前記共通装置の周囲環境の状態を取得することができる、請求項１又は２記載の繊維機械。
【請求項４】
前記繊維処理ユニット及び／又は前記共通装置を支持する機台フレームを更に備え、
前記機台フレームは前記被取付部を有している、請求項１〜３の何れか一項記載の繊維機械。
【請求項５】
前記複数の情報取得部は、作動するように設定された前記情報取得部のみが前記情報を取得する、請求項１〜４の何れか一項記載の繊維機械。
【請求項６】
前記状態取得装置は、作業者から前記情報取得部における作動の有無を受け付ける第１設定部を更に有し、
前記第１設定部は、前記作業者から受け付けた内容に基づいて前記複数の情報取得部の中から作動する前記情報取得部を設定する、請求項１〜５の何れか一項記載の繊維機械。
【請求項７】
前記状態取得装置は、前記取付部がどの前記被取付部に取り付けられたかという取付位置を特定する取付位置特定部を更に有し、
前記取付位置特定部は、前記取付位置に基づいて前記複数の情報取得部の中から作動する前記情報取得部を設定する、請求項１〜６の何れか一項記載の繊維機械。
【請求項８】
前記状態取得装置は、電源と、取得した前記情報を記憶する記憶部と、を更に有している、請求項１〜７の何れか一項記載の繊維機械。
【請求項９】
前記状態取得装置は、前記記憶部に前記情報を記憶させる対象となる前記情報取得部を選択可能にする、及び／又は、前記記憶部に前記情報を記憶させる時間及び／又はサンプリング周期を設定可能にする、第２設定部を更に有している、請求項８記載の繊維機械。
【請求項１０】
前記被取付部には、目印が付されている、請求項１〜９の何れか一項記載の繊維機械。
【請求項１１】
前記被取付部は、前記取付部に嵌合可能に形成されている、請求項１〜１０の何れか一項記載の繊維機械。
【請求項１２】
前記情報取得部は、音、振動、気圧、静止画、動画、電流値、角速度、変位、温度、及び湿度のうち少なくとも一つを取得する、請求項１〜１０の何れか一項記載の繊維機械。
【請求項１３】
前記被取付部は、消耗品となる部品又は調整が必要な装置の近傍に設けられている、請求項１〜１１の何れか一項記載の繊維機械。
【請求項１４】
前記被取付部は、パッケージを支持するクレードルの近傍に設けられ、前記複数の情報取得部のうちの一つは、前記クレードルの振動を取得する振動取得部である、請求項１〜１３の何れか一項記載の繊維機械。
【請求項１５】
前記被取付部は、糸端同士を継ぐ糸継装置の近傍に設けられ、前記複数の情報取得部のうちの一つは、前記糸継装置から発生する音を取得する音取得部である、請求項１〜１４の何れか一項記載の繊維機械。
【請求項１６】
前記状態取得装置は、前記情報取得部が取得した前記情報を前記状態取得装置の外部に出力する出力部を更に有している、請求項１〜１５の何れか一項記載の繊維機械。
【請求項１７】
請求項１６に記載された、複数の繊維機械と、
前記繊維処理ユニットにそれぞれ設けられたユニット制御部と、
前記繊維機械にそれぞれ設けられ、当該繊維機械に備えられた前記繊維処理ユニットを管理する機台管理部と、
前記繊維機械とは離れた場所に設置され、少なくとも一つの前記繊維機械を管理する上位管理部と、
前記ユニット制御部、前記機台管理部、前記上位管理部、及び前記状態取得装置の少なくとも何れか一つと通信可能な携帯端末と、を備え、
前記状態取得装置は、前記ユニット制御部、前記機台管理部、前記上位管理部及び前記携帯端末の少なくとも一つへ前記情報を出力する、繊維機械システム。
【請求項１８】
互いに異なる種類の情報を取得する複数の情報取得部と、
前記複数の情報取得部を収容するケーシングと、
前記ケーシングに設けられた取付部と、
を有し、並んで設けられる繊維処理ユニットの状態及び／又は複数の繊維処理ユニットに共通して設けられる共通装置の状態を取得することができる状態取得装置を取り付け可能な繊維機械であって、
複数の前記繊維処理ユニットと、
前記共通装置と、
前記繊維処理ユニット及び／又は前記共通装置における複数箇所に設けられ、前記状態取得装置の前記取付部が着脱自在に取り付けられる被取付部と、
を備える、繊維機械。
【請求項１９】
並んで設けられる複数の繊維処理ユニットと、前記複数の繊維処理ユニットに共通して設けられる共通装置と、前記繊維処理ユニット及び／又は前記共通装置における複数箇所に設けられる被取付部と、を備える繊維機械に着脱自在に取り付けられる状態取得装置であって、
互いに異なる種類の情報を取得する複数の情報取得部と、
前記複数の情報取得部を収容するケーシングと、
前記ケーシングに設けられ、前記被取付部に着脱自在に取り付けることができる取付部と、を有している、状態取得装置。
【請求項２０】
繊維処理部としての、糸を供給する給糸部と、前記給糸部から供給された前記糸を巻き取ってパッケージを形成する巻取部と、を少なくとも含む繊維処理ユニットであって、
前記繊維処理部の状態を取得可能な状態取得装置と、
前記状態取得装置が取り付けられる、複数の被取付部と、
を備え、
前記状態取得装置は、
互いに異なる種類の情報を取得する複数の情報取得部と、
前記複数の情報取得部を収容するケーシングと、
前記ケーシングに設けられ、前記被取付部に着脱自在に取り付けることができる取付部と、を有している、繊維処理ユニット。
【発明の詳細な説明】
【技術分野】
【０００１】
本発明は、繊維機械、繊維機械システム、状態取得装置及び繊維処理ユニットに関する。
【背景技術】
【０００２】
繊維に対し何らかの処理を実施する繊維処理ユニットを備えた繊維機械が知られている。例えば、ワインダユニットを備える自動ワインダ及び紡績ユニットを備えた紡績機等が、繊維機械に該当する。このような繊維機械では、稼働状態の繊維処理ユニットが発する様々な情報に基づいて、繊維処理ユニットの不良の有無を判断したいという要望がある。例えば、音、温度又は振動等、稼働状態の繊維処理ユニットにおいて発生する情報に基づいて、繊維処理ユニットにおける不良診断が行われる技術が開示されている。
【０００３】
例えば、特許文献１には、監視対象となる各部に圧力センサ、静圧センサ、光電センサ、回転センサ、及び変位センサを取り付けて、各センサから出力される信号をパソコン等に出力し、その信号が入力されたパソコンが各部の状態を解析及び診断する機能診断装置が開示されている。
【先行技術文献】
【特許文献】
【０００４】
【特許文献１】特開平８−１６９６４１号公報
【発明の概要】
【発明が解決しようとする課題】
【０００５】
しかしながら、上記従来の装置では、監視対象となる箇所を予め定め、当該箇所に対し目的に応じたセンサを配置する必要があるため、例えば、予め定められた箇所でないと情報を取得することはできないし、予め定められた箇所であっても、目的の異なる情報は取得することができない。
【０００６】
そこで、本発明は、所望箇所における所望種類の情報を必要に応じて取得することができる、繊維機械、繊維機械システム、状態取得装置及び繊維処理ユニットを提供することを目的とする。
【課題を解決するための手段】
【０００７】
本発明の繊維機械は、並んで設けられる複数の繊維処理ユニットと、複数の繊維処理ユニットに共通して設けられる共通装置と、を備えた繊維機械であって、繊維処理ユニットの状態及び／又は共通装置の状態を取得することができる状態取得装置と、繊維処理ユニット及び／又は前記共通装置における複数箇所に設けられ、状態取得装置が取り付けられる被取付部と、を備え、状態取得装置は、互いに異なる種類の情報を取得する複数の情報取得部と、複数の情報取得部を収容するケーシングと、ケーシングに設けられ、被取付部に着脱自在に取り付けることができる取付部と、を有している。
【０００８】
この構成の繊維機械では、状態取得装置が互いに異なる複数の情報を取得可能に構成されているので、情報を取得したい箇所に当該状態取得装置を取り付けるだけで、所望種類の情報を取得することができる。また、この構成の繊維機械では、繊維処理ユニット側及び／又は共通装置側に被取付部が設けられ、状態取得装置側に取付部が設けられているので、繊維処理ユニット及び／又は共通装置に対する状態取得部の着脱が容易である。これらの結果、所望箇所における所望種類の情報を必要に応じて取得することができる。監視対象となる箇所又は取得する情報の種類を事前に特定することも不要とすることができる。また、取得した情報は、異常診断、予知保全又はメンテナンスサポート（メンテナンス時期告知）等に利用することができる。
【０００９】
なお、ここでいう「被取付部が、繊維処理ユニット及び共通装置の何れか一方又は両方における複数箇所に設けられる」とは、繊維機械全体において被取付部が複数設けられればよいことを意味し、例えば複数の繊維処理ユニットのみに設けられる被取付部の総数が複数であってもよいし、共通装置のみに設けられる被取付部の総数が複数であってもよいし、複数の繊維処理ユニット及び共通装置の両方に設けられる被取付部の総数が複数であってもよい。
【００１０】
本発明の繊維機械では、被取付部は、一の繊維処理ユニットに複数設けられていてもよい。
【００１１】
本発明の繊維機械では、被取付部は、一の繊維処理ユニットに複数設けられていてもよい。
【００１２】
本発明の繊維機械は、状態取得装置は、繊維処理ユニット又は共通装置の周囲環境の状態を取得することができてもよい。
【００１３】
本発明の繊維機械は、繊維処理ユニット及び／又は共通装置を支持する機台フレームを更に備え、機台フレームは被取付部を有していてもよい。
【００１４】
本発明の繊維機械では、機台フレームにも被取付部が設けられているので、状態取得装置を取り付けられる範囲が広がり、情報の取得範囲を広げることができる。
【００１５】
本発明の繊維機械では、複数の情報取得部は、作動するように設定された情報取得部のみが情報を取得してもよい。
【００１６】
この構成の繊維機械では、状態取得装置としては、１つのタイプ（共通部品）のみを用意しておき、取付位置及び／又は目的に応じて、入手したい情報を取得する情報取得部のみを作動させることができる。これにより、電力を節約出来たり、出力する情報の通信量を低減させたり、また、記憶部がある場合には、記憶部の容量を相対的に小さくしたりすることができる。
【００１７】
本発明の繊維機械では、状態取得装置は、作業者から情報取得部における作動の有無を受け付ける第１設定部を更に有し、第１設定部は、作業者から受け付けた内容に基づいて複数の情報取得部の中から作動する情報取得部を設定してもよい。
【００１８】
この構成の繊維機械では、情報取得部ごとの作動の有無を作業者から受け付けるインタフェイスとしての第１設定部を有している。これにより、作業者の操作によって、取付位置及び／又は目的に応じて、入手したい情報を取得する情報取得部のみを作動させることができる。これにより、電力を節約出来たり、出力する情報の通信量を低減させたり、また、記憶部がある場合には、記憶部の容量を相対的に小さくしたりすることができる。
【００１９】
本発明の繊維機械では、状態取得装置は、取付部がどの被取付部に取り付けられたかという取付位置を特定する取付位置特定部を更に有し、取付位置特定部は、取付位置に基づいて複数の情報取得部の中から作動する情報取得部を設定してもよい。
【００２０】
この構成の繊維機械では、状態取得装置は、取付位置に応じて自動的に作動する情報取得部と、作動しない情報取得部とが設定されるので、作業者が個々に作動させたい（作動せるべき）情報取得部を設定する手間がなくなる。
【００２１】
本発明の繊維機械では、状態取得装置は、電源と、取得した情報を記憶する記憶部と、を更に有していてもよい。
【００２２】
この構成の繊維機械では、他の装置から電力の供給を必要としないので、所望箇所への取り付けをより容易にすることができる。また、記憶部を備えることで、情報取得部によって取得された情報をオンラインの他の機器（パソコン等）に出力しなくても済む。これにより、任意のタイミングで、状態取得部を他の機器等へ接続して、取得した情報の解析等を行わせることができる。これにより、作業者は、より柔軟に繊維処理ユニットの状態を把握することが可能になる。
【００２３】
本発明の繊維機械では、状態取得装置は、記憶部に情報を記憶させる対象となる情報取得部を選択可能にする、及び／又は、記憶部に情報を記憶させる時間及び／又はサンプリング周期を設定可能にする、第２設定部を更に有していてもよい。
【００２４】
この構成の繊維機械では、複数の情報取得部が情報を取得する場合であっても、記憶部に記憶させる情報を取捨選択したり、情報取得部が取得する情報を記憶部に記憶させる及び／又はサンプリング周期を設定したりできるので、必要な情報のみを記憶させることができる。また、単位時間当たりに記憶する情報量を少なくする代わりに長期間の情報を記憶させたり、又は、短期間の記憶時間とする代わりに単位時間当たりの情報量を増やして記憶したりする等、状況に応じた記憶が可能になる。
【００２５】
本発明の繊維機械では、被取付部には、目印が付されていてもよい。この構成の繊維機械では、作業者が被取付部の位置を容易に確認すること、及び／又は、状態取得装置の取り付け方向（上下方向等）を容易に把握することが可能になり、取付位置がばらつくこと、すなわち、取得する情報のばらつきを抑制することができるようになる。
【００２６】
本発明の繊維機械では、被取付部は、取付部に嵌合可能に形成されていてもよい。この構成の繊維機械では、状態取得装置を容易に被取付部に取り付けることができる。
【００２７】
本発明の繊維機械では、情報取得部は、音、振動、気圧、静止画、動画、電流値、角速度、変位、温度、及び湿度のうち少なくとも一つを取得してもよい。
【００２８】
本発明の繊維機械では、被取付部は、消耗品となる部品又は調整が必要な装置の近傍に設けられていてもよい。この構成の繊維機械では、消耗品となる部品の状態を監視することができるので、当該部品を適切なタイミングで交換等ができ、また、調整が必要な装置の状態を監視することができるので、当該装置を適切なタイミングで調整をすることができる。
【００２９】
本発明の繊維機械では、被取付部は、パッケージを支持するクレードルの近傍に設けられ、複数の情報取得部のうちの一つは、クレードルの振動を取得する振動取得部であってもよい。
【００３０】
クレードルは、状態に応じて発生する振動が異なる。この構成の繊維機械では、クレードルから発生する振動を取得することができるので、取得した振動及び／又は振動の変化に基づいて、クレードルの異常の有無を診断することが可能になる。
【００３１】
本発明の繊維機械では、被取付部は、糸端同士を継ぐ糸継装置の近傍に設けられ、複数の情報取得部のうちの一つは、糸継装置から発生する音を取得する音取得部であってもよい。
【００３２】
糸継装置は、状態に応じて発生する音が異なる。この構成の繊維機械では、糸継装置から発生する音を取得することができるので、取得した音及び／又は音の変化に基づいて、糸継装置の異常の有無を診断することが可能になる。
【００３３】
本発明の繊維機械では、状態取得装置は、情報取得部が取得した情報を状態取得装置の外部に出力する出力部を更に有していてもよい。
【００３４】
この構成の繊維機械では、状態取得装置が取得した情報を状態取得装置の外部の装置等で確認できる。また、この構成の繊維機械では、状態取得装置が取得した情報を用いた異常診断等の解析が状態取得装置の外部の装置等で実施できる。
【００３５】
本発明の繊維機械システムは、複数の上記繊維機械と、繊維処理ユニットにそれぞれ設けられたユニット制御部と、繊維機械にそれぞれ設けられ、当該繊維機械に備えられた繊維処理ユニットを管理する機台管理部と、繊維機械とは離れた場所に設置され、少なくとも一つの繊維機械を管理する上位管理部と、ユニット制御部、機台管理部、上位管理部、及び状態取得装置の少なくとも何れか一つと通信可能な携帯端末と、を備え、状態取得装置は、ユニット制御部、機台管理部、上位管理部及び携帯端末の少なくとも一つへ情報を出力する。
【００３６】
この繊維機械システムでは、状態取得装置が取得した情報をユニット制御部、機台管理部、上位管理部、及び携帯端末の何れかで確認できる。また、この繊維機械システムでは、状態取得装置が取得した情報を用いた異常診断等の解析がユニット制御部、機台管理部、上位管理部、及び携帯端末の何れかで実施できる。
【００３７】
本発明の繊維機械は、互いに異なる種類の情報を取得する複数の情報取得部と、複数の情報取得部を収容するケーシングと、ケーシングに設けられた取付部と、を有し、並んで設けられる繊維処理ユニットの状態及び／又は複数の繊維処理ユニットに共通して設けられる共通装置の状態を取得することができる状態取得装置を取り付け可能な繊維機械であって、複数の繊維処理ユニットと、共通装置と、繊維処理ユニット及び／又は共通装置における複数箇所に設けられ、状態取得装置の前記取付部が着脱自在に取り付けられる被取付部と、を備える。
【００３８】
この構成の繊維機械では、互いに異なる複数の情報を取得可能に構成された状態取得装置を取り付ける被取付部が設けられている。これにより、状態取得装置を、情報を取得したい箇所に該当する被取付部に取り付けるだけの容易な作業で、所望種類の情報を取得することが可能になる。この結果、事前に監視対象となる箇所又は取得する情報の種類を特定することなく、所望箇所における所望種類の情報を必要に応じて取得することができる。
【００３９】
本発明の状態取得装置は、並んで設けられる複数の繊維処理ユニットと、複数の繊維処理ユニットに共通して設けられる共通装置と、繊維処理ユニット及び／又は共通装置における複数箇所に設けられる被取付部と、を備える繊維機械に着脱自在に取り付けられる状態取得装置であって、互いに異なる種類の情報を取得する複数の情報取得部と、複数の情報取得部を収容するケーシングと、ケーシングに設けられ、被取付部に着脱自在に取り付けることができる取付部と、を有している。
【００４０】
この構成の状態取得装置は、互いに異なる複数の情報を取得可能に構成されているので、情報を取得したい箇所に当該状態取得装置が取り付けられるだけで、所望種類の情報の取得が可能になる。また、この構成の繊維機械では、繊維処理ユニット側には被取付部が設けられ、状態取得装置側及び／又は共通装置側には取付部が設けられているので、繊維処理ユニットに対する状態取得部の着脱が容易である。これらの結果、事前に監視対象となる箇所又は取得する情報の種類を特定することなく、所望箇所における所望種類の情報を必要に応じて取得することができるようになる。
【００４１】
本発明の繊維処理ユニットは、糸を供給する給糸部及び給糸部から供給された糸を巻き取ってパッケージを形成する巻取部を繊維処理部として少なくとも含む繊維処理ユニットであって、繊維処理部の状態を取得可能な状態取得装置と、状態取得装置が取り付けられる、複数の被取付部と、を備え、状態取得装置は、互いに異なる種類の情報を取得する複数の情報取得部と、複数の情報取得部を収容するケーシングと、ケーシングに設けられ、被取付部に着脱自在に取り付けることができる取付部と、を有している。
【００４２】
この構成の繊維処理ユニットは、状態取得装置が互いに異なる複数の情報を取得可能に構成されているので、情報を取得したい箇所に当該状態取得装置を取り付けるだけで、所望種類の情報を取得することができる。また、この構成の繊維処理ユニットでは、繊維処理ユニット側に被取付部が設けられ、状態取得装置側に取付部が設けられているので、繊維処理ユニットに対する状態取得部の着脱が容易である。これらの結果、所望箇所における所望種類の情報を必要に応じて取得することができる。
【発明の効果】
【００４３】
本発明によれば、事前に監視対象となる箇所又は取得する情報の種類を特定することなく、所望箇所における所望種類の情報を必要に応じて取得することができる。
【図面の簡単な説明】
【００４４】
【図１】一実施形態に係る自動ワインダの模式図である。
【図２】図１のワインダユニットの概略的な構成を示した模式図である。
【図３】一実施形態に係る状態取得装置の斜視図である。
【図４】図１の自動ワインダの機能ブロック図である。
【図５】（Ａ）は、状態取得装置を一方の面から見た平面図であり、（Ｂ）は、被取付部を正面から見た正面図である。
【図６】他の実施形態に係る自動ワインダシステムの概要図である。
【図７】変形例に係る自動ワインダ又は自動ワインダシステムの機能ブロック図である。
【図８】変形例に係る状態取得装置の斜視図である。
【図９】変形例に係るワインダユニットの概略的な構成を示した構成図である。
【発明を実施するための形態】
【００４５】
以下、図面を参照して一実施形態について説明する。図面の説明において、同一要素には同一符号を付し、重複する説明を省略する。図面の寸法比率は、説明のものと必ずしも一致していない。
【００４６】
（第１実施形態）
図１及び図２を参照して、複数のワインダユニット（繊維処理ユニット）１０を備える自動ワインダ（繊維機械）１の全体的な構成について説明する。なお、本明細書において「上流」及び「下流」とは、糸巻取時での糸の走行方向における上流及び下流を意味する。
【００４７】
図１及び図２に示されるように、自動ワインダ１は、一方向に並べて配置された複数のワインダユニット１０と、自動玉揚装置（共通装置）８と、機台管理部９と、状態取得装置７０と、機台フレーム１Ａと、被取付部９０（９０Ａ，９０Ｂ，９０Ｃ）と、を主要な構成として備えている。ワインダユニット１０は、給糸ボビンＢから解舒された糸Ｙを綾振り（トラバース）しながら巻取ボビンＷＢ（図２参照）に巻き取ってパッケージＰを製造する装置である。
【００４８】
自動玉揚装置８は、各ワインダユニット１０においてパッケージＰが満巻となった際に、当該ワインダユニット１０の位置まで走行し、当該ワインダユニット１０から満巻のパッケージＰを排出させると共に、当該ワインダユニット１０に空の巻取ボビンＷＢを供給する。
【００４９】
機台管理部９は、設定管理部９Ａと、表示部９Ｂと、を主要な構成として備えている。設定管理部９Ａは、作業者（operator）が所定の設定値を入力したり適宜の制御方法を選択したりすることで、各ワインダユニット１０に対する設定管理を行う。表示部９Ｂは、各ワインダユニット１０の糸Ｙの巻取状況、及び、発生したトラブルの内容等を表示可能に構成されている。なお、表示部９Ｂがタッチパネルで構成され、設定管理部９Ａが表示部９Ｂに含まれていてもよい。
【００５０】
次に、ワインダユニット１０の構成を具体的に説明する。図２に示されるように、各ワインダユニット１０は、ユニット本体６０と、ボビン支持部（給糸部）１１と、糸解舒補助装置１５と、糸張力付与装置２１と、テンションセンサ２５と、糸継装置３１と、下糸捕捉部３３と、上糸捕捉部３７と、糸監視装置４１と、巻取部５１と、ユニット制御部６５と、を主要な構成として備えている。
【００５１】
ユニット本体６０は、ワインダユニット１０を構成する各装置、すなわち、糸解舒補助装置１５と、糸張力付与装置２１と、テンションセンサ２５と、糸継装置３１と、下糸捕捉部３３と、上糸捕捉部３７と、糸監視装置４１と、巻取部５１と、を支持している。また、ユニット本体６０には、後段にて詳述するユニット制御部６５が内蔵されている。
【００５２】
ユニット本体６０には、設定入力部６１と表示部６３とが設けられている。設定入力部６１は、作業者が所定の設定値を入力したり適宜の制御方法を選択したりすることで、ワインダユニット１０に対する設定を行う。表示部６３は、ワインダユニット１０の糸Ｙの巻取状況、及び発生したトラブルの内容等を表示する。なお、表示部６３がタッチパネルで構成され、設定入力部６１が表示部６３に含まれていてもよい。
【００５３】
ボビン支持部１１は、図略のボビン搬送システムによって搬送されてきた給糸ボビンＢを所定の位置に保持する。
【００５４】
糸解舒補助装置１５は、給糸ボビンＢの芯管に被さる規制部材１６を給糸ボビンＢからの糸Ｙの解舒と連動して下降させることにより、給糸ボビンＢからの糸Ｙの解舒を補助する。規制部材１６は、給糸ボビンＢから解舒された糸Ｙの回転と遠心力によって給糸ボビンＢ上部に形成された糸Ｙのバルーンに接触し、糸Ｙのバルーンを適切な大きさに制御する。規制部材１６の近傍には、給糸ボビンＢのチェース部を検出するための図略のセンサが設けられている。このセンサがチェース部の下降を検出すると、糸解舒補助装置１５は、チェース部の下降に追従して規制部材１６を、例えば、エアシリンダ（図示せず）によって下降させる。
【００５５】
糸張力付与装置２１は、走行する糸Ｙに所定の張力を付与する。糸張力付与装置２１としては、例えば、固定の櫛歯に対して可動の櫛歯を配置するゲート式の装置を用いることができる。可動側の櫛歯は、固定側の櫛歯と噛合せ状態又は解放状態になるように、ロータリ式のソレノイドにより回動することができる。なお、糸張力付与装置２１には、上記ゲート式の装置以外にも、例えば、ディスク式の装置を採用することができる。
【００５６】
テンションセンサ２５は、糸張力付与装置２１と糸継装置３１との間に配置されており、ガイド板２３の上面に載置されている。テンションセンサ２５は、走行する糸Ｙの張力を測定し、張力測定信号をユニット制御部６５に送信する。
【００５７】
糸継装置３１は、糸監視装置４１が糸欠陥を検出して行う糸切断時、又は給糸ボビンＢからの解舒中の糸切れ時等に、給糸ボビンＢからの下糸と、パッケージＰからの上糸とを糸継ぎする。このような上糸と下糸とを糸継ぎする糸継装置３１としては、圧縮空気等の流体を用いる装置（スプライサ）を使用する。なお、糸継装置３１は、機械的に結び目を作るノッターでもよい。
【００５８】
下糸捕捉部３３は、糸継装置３１の下側に設けられており、下糸の糸端を捕捉して糸継装置３１に案内する。下糸捕捉部３３は、下糸パイプアーム３４と、下糸パイプアーム３４の先端に形成された下糸吸引口３４Ａとを有している。
【００５９】
下糸パイプアーム３４は、軸Ａ１を中心にして回動可能にユニット本体６０に支持されている。下糸パイプアーム３４には、適宜の負圧源がそれぞれ接続されている。下糸パイプアーム３４は、下糸吸引口３４Ａに吸引流を発生させて、下糸の糸端を吸引捕捉する。
【００６０】
糸継装置３１の上側には、上糸の糸端を捕捉して糸継装置３１に案内する上糸捕捉部３７が設けられている。上糸捕捉部３７は、上糸パイプアーム３８と、この上糸パイプアーム３８の先端に形成された上糸吸引口３９と、を備えている。上糸パイプアーム３８は、軸Ａ２を中心にして回動可能にユニット本体６０に支持されている。上糸パイプアーム３８には、適宜の負圧源がそれぞれ接続されている。上糸パイプアーム３８は、上糸吸引口３９に吸引流を発生させて、上糸の糸端を吸引捕捉する。
【００６１】
糸監視装置４１は、糸Ｙの太さを検出するための図略のセンサが配置されたヘッド４３と、このセンサからの糸太さ信号を処理するアナライザ４５と、を有している。糸監視装置４１は、上記センサからの糸太さ信号を監視することにより、スラブ等の糸欠陥を検出する。ヘッド４３の近傍には、糸監視装置４１が糸欠陥を検出したときに直ちに糸Ｙを切断するための切断装置４７が設けられている。
【００６２】
切断装置４７によって糸Ｙがカットされると、パッケージＰ側の糸端である上糸は、上糸捕捉部３７の上糸吸引口３９で吸引された状態で、上糸吸引口３９が下方へ回動することで、上糸の糸端が糸継装置３１に引き渡される。一方、給糸ボビンＢ側の糸端である下糸は、下糸捕捉部３３の下糸吸引口３４Ａで吸引された状態で、下糸吸引口３４Ａが上方へ回動することで、下糸の糸端が糸継装置３１に引き渡される。こうして、糸継装置３１において上糸と下糸とが継ぎ合わされる。
【００６３】
巻取部５１は、ドラム溝５５Ａが形成された綾振ドラム５５と、巻取ボビンＷＢを回転可能及び着脱可能に支持するクレードル５２を有している。クレードル５２は、巻取ボビンＷＢに巻き取られた糸Ｙの表面（すなわち、パッケージＰの表面）を綾振ドラム５５の表面に対して適切な接圧で接触させる。巻取部５１は、綾振ドラム駆動モータ５９の駆動力により綾振ドラム５５を駆動回転させて巻取ボビンＷＢを従動回転させることにより、糸Ｙを所定幅で綾振りしつつ糸Ｙを巻取ボビンＷＢに巻き取っていく。
【００６４】
図２に示されるユニット制御部６５は、例えば、ＣＰＵと、ＲＡＭと、ＲＯＭと、Ｉ／Ｏポートと、通信ポートと、を有している。上記ＲＯＭには、ワインダユニット１０の各構成を制御するためのプログラムが記録されている。Ｉ／Ｏポート及び通信ポートには、ワインダユニット１０が備える各部及び機台管理部９が接続されており、制御情報等の通信ができるように構成されている。例えば、ユニット制御部６５は、テンションセンサ２５から入力された張力値に基づいて、糸切れ等を起こさない最適な張力となるように糸張力付与装置２１をフィードバック制御する。
【００６５】
次に、ワインダユニット１０における任意の被取付部９０（９０Ａ，９０Ｂ）及び機台フレーム１Ａにおける任意の被取付部９０（９０Ｃ）に取り付けられる状態取得装置７０について説明する。状態取得装置７０は、ワインダユニット１０の状態（例えば、音、振動又は温度等）を取得する。図３及び図４に示されるように、状態取得装置７０は、ケーシング７１と、取付部７３と、稼働中の自動ワインダ１から発生される互いに異なる種類の情報を取得する情報取得部としての音取得部７７、振動取得部７８及び温度取得部７９と、設定部（第１設定部）８１と、バッテリ（電源）８７と、記憶部８９と、出力部８３と、を有している。
【００６６】
ケーシング７１は、樹脂又は金属から形成されており、音取得部７７、振動取得部７８、温度取得部７９、バッテリ８７、記憶部８９及び出力部８３を格納する。樹脂は、非導電性樹脂及び導電性樹脂の何れでも良い。ケーシング７１の一方の面７１ａには、設定部８１が配置されている。ケーシング７１は、図３及び図５（Ａ）に示されるように、例えば一方の面７１ａから見た場合に四角形状（角型）であり、１辺が１０ｍｍ以上８０ｍｍ以下、厚みが５ｍｍ以上２０ｍｍ以下であれば好ましい。ケーシング７１は、例えば一方の面７１ａから見た形状が長方形状となる角柱状であり、第一辺が２０ｍｍ以上３６ｍｍ以下、第二辺が４０ｍｍ以上６０ｍｍ以下、第三辺（厚み）が５ｍｍ以上１５ｍｍ以下であればより好ましい。
【００６７】
なお、ケーシング７１は、図８に示されるように、例えば一方の面７１ａから見た場合に円形であってもよい。また、ケーシング７１は、音取得部７７、振動取得部７８、温度取得部７９、出力部８３、バッテリ８７及び記憶部８９を全て格納する一つの空間を有する容器であってもよい。また、ケーシング７１は、音取得部７７、振動取得部７８、温度取得部７９、出力部８３、バッテリ８７及び記憶部８９をそれぞれ格納する空間を有する複数のケーシングが一体化されたケーシングであってもよい。また、一つの部品（例えば、音取得部７７又はバッテリ８７等）が格納されたケーシングと、複数の部品（例えば、振動取得部７８及び温度取得部７９）が格納されたケーシングとが一体化されたケーシングであってもよい。
【００６８】
図５（Ａ）に示されるように、取付部７３は、ケーシング７１の他方の面７１ｂに形成されている。取付部７３は、例えば、被取付部９０（図５（Ｂ）参照）に形成された凸部９１が挿入可能な孔部７３ａである。第１実施形態では、４つの孔部７３ａが形成されている。なお、孔部７３ａの数は、４つに限定されるものではない。
【００６９】
音取得部７７は、音（情報）を取得する。音取得部７７は、例えば、マイク（マイクロフォン）である。音取得部７７の作動の有無は、設定部８１によって切り換えられる。言い換えれば、音取得部７７は、設定部８１によって作動するように設定された場合にのみ音を取得できる。音取得部７７によって取得された音データは、記憶部８９に送出される。
【００７０】
振動取得部７８は、振動（情報）を取得する。振動取得部７８は、例えば、加速度センサである。振動取得部７８の作動の有無は、設定部８１によって切り換えられる。言い換えれば、振動取得部７８は、設定部８１によって作動するように設定された場合にのみ振動を取得できる。振動取得部７８によって取得された振動データは、記憶部８９に送出される。
【００７１】
温度取得部７９は、温度（情報）を取得する。温度取得部７９は、例えば、温度センサである。温度取得部７９の作動の有無は、設定部８１によって切り換えられる。言い換えれば、温度取得部７９は、設定部８１によって作動するように設定された場合にのみ温度を取得できる。温度取得部７９によって取得された温度データは、記憶部８９に送出される。
【００７２】
バッテリ８７は、音取得部７７、振動取得部７８、温度取得部７９、設定部８１及び出力部８３に電力を供給する。
【００７３】
記憶部８９は、音取得部７７、振動取得部７８及び温度取得部７９のそれぞれが取得する音、振動、及び温度を記憶する。具体的には、記憶部８９は、音取得部７７、振動取得部７８及び温度取得部７９のそれぞれから送出されてくるデータを記憶する。すなわち、音取得部７７から送出されてくる音データを記憶（録音）し、振動取得部７８から送出されてくる振動データを記憶し、温度取得部７９から送出されてくる温度データを記憶する。記憶部８９は、記憶容量が上限に達した場合、最も古いデータから順番に自動的に上書きされることが望ましい。
【００７４】
設定部８１は、音取得部７７、振動取得部７８及び温度取得部７９の作動の有無を切り替える。設定部８１は、音取得部７７、振動取得部７８及び温度取得部７９ごとに作動の有無を切り替える、例えば、スイッチである。
【００７５】
出力部８３は、音取得部７７、振動取得部７８及び温度取得部７９がそれぞれ取得した音、振動、及び温度を状態取得装置７０の外部に出力する。第１実施形態では、出力部８３は、記憶部８９に記憶された音データ、振動データ、及び温度データを携帯端末に出力する、ＬＡＮポート又はＵＳＢ（Universal Serial Bus）等のインタフェイスである。なお、出力部８３は、無線ＬＡＮを使用する場合のアンテナ、赤外線通信等の近距離無線通信を使用する場合のトランシーバ等であってもよい。
【００７６】
次に、ワインダユニット１０において、状態取得装置７０を取り付ける被取付部９０について説明する。図２に示されるように、第１実施形態の自動ワインダ１は、クレードル５２に設けられた被取付部９０Ａと、糸継装置３１近傍のユニット本体６０に設けられた被取付部９０Ｂと、ワインダユニット１０の上方であって機台フレーム１Ａに設けられた被取付部９０Ｃとを有している。
【００７７】
図５（Ｂ）に示されるように、被取付部９０（９０Ａ，９０Ｂ，９０Ｃ）は、板部９３と、目印９５と、凸部９１と、を有している。板部９３は、板状の部材であり、被取付部９０の本体部を構成する。目印９５は、板部９３を囲うように付されたマークである。目印９５は、状態取得装置７０が被取付部９０に取り付けられた際に、状態取得装置７０を囲うように付されている。目印９５は、刻印、着色、又はシール等に形成することが可能である。目印９５は、作業者に対し、状態取得装置７０の取付方向（例えば上下方向）を示すことができる。凸部９１は、板部９３から突出する部材である。凸部９１は、状態取得装置７０の他方の面７１ｂに形成された凹部状の取付部７３に嵌合可能に形成されている。凸部９１も、目印９５と同様に、作業者に対し、状態取得装置７０の取付方向を示すことができる。凸部９１が目印としても十分に機能する場合、目印９５を設けなくても良い。
【００７８】
次に、状態取得装置７０を使用した情報（音、振動、温度）の取得方法について説明する。作業者は、情報を取得したい対象となる機器の近傍に状態取得装置７０を取り付ける。例えば、クレードル５２の異常の有無と、糸継装置３１の異常の有無と、自動ワインダ１近傍の温度とを監視したい場合には、作業者は、クレードル５２近傍の被取付部９０Ａと、糸継装置３１近傍の被取付部９０Ｂと、機台フレーム１Ａの被取付部９０Ｃとに、状態取得装置７０を取り付ける。
【００７９】
作業者は、状態取得装置７０を各部に取り付ける前又は取り付けた後に、音取得部７７、振動取得部７８及び温度取得部７９の作動の有無を切り替える。作業者は、設定部８１としてのスイッチを操作することによって音取得部７７、振動取得部７８及び温度取得部７９それぞれの作動の有無を切り替える。
【００８０】
作業者は、振動取得部７８のみを作動させるようにした一の状態取得装置７０をクレードル５２近傍の被取付部９０Ａに取り付ける。これにより、当該状態取得装置７０には、綾振ドラム駆動モータ５９が駆動する際に発生する振動データが記憶される。また、作業者は、音取得部７７のみを作動させるようにした一の状態取得装置７０を糸継装置３１近傍の被取付部９０Ｂに取り付ける。これにより、当該状態取得装置７０には、糸継装置３１が稼働する際に発生する音が記憶される。また、作業者は、温度取得部７９のみを作動させるようにした一の状態取得装置７０を機台フレーム１Ａの被取付部９０Ｃに取り付ける。これにより、当該状態取得装置７０には、自動ワインダ１近傍(自動ワインダ１の周囲)の温度データが記憶される。言い換えれば、自動ワインダ１の設置環境を記憶することができる。
【００８１】
作業者は、任意のタイミングで、又は定期的に、それぞれの状態取得装置７０の出力部８３に携帯端末７（図４参照）を接続する。これにより、状態取得装置７０の記憶部８９に記憶されたデータを携帯端末７に転送（送出）することができる。携帯端末７の例は、ノートパソコン、スマートフォン、又はタブレット等である。
【００８２】
携帯端末７は、状態取得装置７０から転送されたデータを使用して、クレードル５２、糸継装置３１及び自動ワインダ１の異常の有無を判断する。具体的には、携帯端末７は、綾振ドラム駆動モータ５９が駆動する際に発生する振動データに基づいて、クレードル５２の異常の有無を診断し、診断結果を表示部等に表示する。作業者は、携帯端末７の表示部等に表示される診断結果を見ることにより、クレードル５２の異常の有無を把握することができる。また、携帯端末７は、糸継装置３１が稼働する際に発生する音に基づいて、糸継装置３１の異常の有無を診断し、表示部等に表示する。作業者は、携帯端末７の表示部等に表示される診断結果を見ることにより、糸継装置３１の異常の有無を把握することができる。
【００８３】
また、携帯端末７は、自動ワインダ１近傍、すなわち、自動ワインダ１の周囲温度に基づいて、例えば、機械使用温度（設置環境条件）を満たしているか否かを判定し、当該判定結果及び／又は検知結果を表示部等に表示する。作業者は、携帯端末７の表示部等に表示される判定結果及び／又は検知結果を見ることにより、設置環境条件を管理することができる。
【００８４】
次に、第１実施形態の自動ワインダ１の作用効果について説明する。第１実施形態の自動ワインダ１では、状態取得装置７０が互いに異なる複数の情報（音、振動及び温度）を取得可能に構成されているので、情報を取得したい箇所に当該状態取得装置７０を取り付けるだけで、所望種類の情報を取得することができる。また、第１実施形態の自動ワインダ１では、ワインダユニット１０側には被取付部９０（９０Ａ，９０Ｂ）が設けられ、機台フレーム１Ａ側には被取付部９０（９０Ｃ）が設けられ、状態取得装置７０側には取付部７３が設けられているので、ワインダユニット１０に対する状態取得装置７０の着脱が容易である。これらの結果、ワインダユニット１０において事前に監視対象となる箇所又は取得する情報の種類を特定することなく、所望箇所における所望種類の情報を必要に応じて取得することができる。そして、取得した情報は、異常診断、予知保全又はメンテナンスサポート（メンテナンス時期告知）等に利用することができる。
【００８５】
第１実施形態の自動ワインダ１では、音取得部７７、振動取得部７８及び温度取得部７９における作動の有無を作業者から受け付けるインタフェイスとしての設定部８１を有している。これにより、作業者が入手したい情報を取得する音取得部７７、振動取得部７８及び温度取得部７９のみが作動するように切り替えることができるので、電力を節約出来たり、記憶部８９の容量を相対的に小さくしたりすることができる。
【００８６】
第１実施形態の自動ワインダ１では、他の装置から電力の供給を必要としないので、所望箇所への取り付けをより容易にすることができる。また、第１実施形態の自動ワインダ１では、記憶部８９を備えることで、音取得部７７、振動取得部７８及び温度取得部７９によって取得された情報を解析等する携帯端末７を常時接続していなくても、必要なときに携帯端末７を接続して記憶部８９に記憶された情報を解析することができる。これにより、より柔軟にワインダユニット１０の状態を把握することが可能になる。
【００８７】
第１実施形態の自動ワインダ１では、クレードル５２から発生する振動を取得することができるので、取得した振動及び／又は振動の変化に基づいて、携帯端末７は、クレードル５２の異常の有無を診断することが可能になる。第１実施形態の自動ワインダ１では、糸継装置３１から発生する音を取得することができるので、取得した音及び／又は音の変化に基づいて、携帯端末７は、糸継装置３１の異常の有無を診断することが可能になる。
【００８８】
第１実施形態の自動ワインダ１では、音取得部７７、振動取得部７８及び温度取得部７９が取得した音、振動及び温度を状態取得装置７０の外部に出力する出力部８３を備えているので、音取得部７７、振動取得部７８及び温度取得部７９が取得した音、振動及び温度を状態取得装置７０とは別の外部の携帯端末７に出力が可能になる。状態取得装置７０とは別の外部の携帯端末７は、状態取得装置７０が取得した音、振動及び温度を用いた異常診断等の解析が可能になる。
【００８９】
第１実施形態の自動ワインダ１では、例えば、被取付部９０Ａは、消耗品となる部品（パッケージの両端を支持するパッケージ支持部であるベアリングセンタのベアリング等）の近傍に設けられている。これにより、パッケージ支持部の監視ができるので、パッケージ支持部の消耗品を適切なタイミングで交換等できる。
【００９０】
（第２実施形態）
次に、主に図６を参照しながら、第２実施形態に係る自動ワインダシステム（繊維機械システム）５について説明する。自動ワインダシステム５は、複数の自動ワインダ（繊維機械）１と、複数の自動ワインダ１にそれぞれ設けられ、複数のワインダユニット（繊維処理ユニット）１０を管理する機台管理部９と、複数のワインダユニットのそれぞれを制御するユニット制御部６５と、自動ワインダ１とは離れた場所に設置され、複数の自動ワインダ１を管理する上位管理部３と、機台管理部９に接続可能な携帯端末７と、を備えている。上記自動ワインダ１及びワインダユニット１０については、第１実施形態と同様であるのでここでは詳細な説明を省略する。
【００９１】
上位管理部３は、複数の自動ワインダ１に接続された端末装置である。上位管理部３は、ＣＰＵ（Central Processing Unit）、ＲＡＭ（Random Access Memory）及びＲＯＭ（Read Only Memory）等の主記憶部、ｍＳＡＴＡ規格のＳＳＤ（Solid State Drive）等に例示される補助記憶部、キーボード及びマウス等の入力部、表示画面等の出力部等を含むコンピュータシステムとして構成されている。なお、補助記憶部として、ハードディスク又は等フラッシュメモリ等を用いてもよい。
【００９２】
図６に示されるように、上位管理部３と、機台管理部９とは、ネットワークを介して互いにアクセス可能に構成されている。ネットワークの例には、インターネット回線、専用回線、ＶＰＮ（Virtual Private Network）回線等が含まれる。また、有線であってもよいし、無線であってもよい。
【００９３】
携帯端末７は、携帯が可能な小型端末装置である。携帯端末７は、ＣＰＵ、ＲＡＭ及びＲＯＭ等の主記憶部、ハードディスク、フラッシュメモリ等に例示される補助記憶部、タッチパネル画面等の入力部及び出力部等を含むコンピュータシステムである。携帯端末７は、ケーブル、無線ＬＡＮ、近距離無線通信等を介して機台管理部９に接続可能である。
【００９４】
この自動ワインダシステム５に用いられる状態取得装置７０は、図３に示されるように、第１実施形態の自動ワインダ１に備えられるものと同じである。状態取得装置７０は、ユニット制御部６５、機台管理部９、上位管理部３及び携帯端末７の少なくとも一つへ、音取得部７７によって取得された音データ、振動取得部７８によって取得された振動データ及び温度取得部７９によって取得された温度データを出力する。
【００９５】
例えば、状態取得装置７０によって取得された音データ、振動データ及び温度データが機台管理部９に出力された場合、機台管理部９は、送出されてきた情報（音データ、振動データ及び温度データ）に基づいて、異常診断等の解析を行うことができる。また、機台管理部９では、状態取得装置７０から送出されてきた情報（音データ、振動データ及び温度データ）の記憶のみを行い、ケーブル、無線ＬＡＮ、近距離無線通信等を介して接続される上位管理部３が、当該情報に基づいて異常診断等の解析を行ってもよい。これらの場合、自動ワインダ１に備えられている複数のワインダユニット１０の異常の有無を把握することができる。
【００９６】
例えば、状態取得装置７０によって取得された音データ、振動データ及び温度データが機台管理部９に出力された場合、上位管理部３は、送出されてきた情報（音データ、振動データ及び温度データ）に基づいて、異常診断等の解析を行うことができる。この場合、自動ワインダ１に備えられている複数の自動ワインダ１及び各自動ワインダ１に備わる複数のワインダユニット１０の異常の有無をまとめて把握することができる。
【００９７】
次に、第２実施形態の自動ワインダシステム５の作用効果について説明する。第２実施形態の自動ワインダシステム５では、状態取得装置７０が互いに異なる複数の情報（音、振動及び温度）を取得可能に構成されているので、情報を取得したい箇所に当該状態取得装置７０を取り付けるだけで、所望種類の情報を取得することができる。また、第２実施形態の自動ワインダシステム５では、ワインダユニット１０側には被取付部９０（９０Ａ，９０Ｂ）が設けられ、機台フレーム１Ａ側には被取付部９０（９０Ｃ）が設けられ、状態取得装置７０側には取付部７３が設けられているので、ワインダユニット１０に対する状態取得装置７０の着脱が容易である。これらの結果、ワインダユニット１０の所望箇所における所望種類の情報を必要なときに取得することができる。そして、取得した情報は、異常診断、予知保全又はメンテナンスサポート（メンテナンス時期告知）等に利用することができる。
【００９８】
第２実施形態の自動ワインダシステム５では、状態取得装置７０が取得した音、振動及び温度を用いた異常診断等の解析を、ユニット制御部６５、機台管理部９、上位管理部３又は携帯端末７によって実施できる。このように、異常診断等の解析を行う機能を状態取得装置７０の外部で行えるので、状態取得装置７０のサイズをコンパクトにすることが可能になる。また、第２実施形態の自動ワインダシステム５では、状態取得装置７０で取得した情報と、ユニット制御部６５、機台管理部９、及び上位管理部３が保有している情報と、を統合して診断することも可能になる。
【００９９】
以上、本発明の一実施形態について説明したが、本発明は、上記実施形態に限定されない。
【０１００】
＜変形例１＞
上記実施形態では、状態取得装置７０が、音取得部７７、振動取得部７８及び温度取得部７９ごとに作動の有無を切り替える設定部８１を有している例を挙げて説明したが、設定部８１に代えて、例えば、図７に示されるように、記憶部８９に情報を記憶させる対象となる情報取得部（音取得部７７、振動取得部７８及び温度取得部７９）を選択可能にする、及び／又は、記憶部８９に記憶させる時間及びサンプリング周期を設定可能にする設定部（第２設定部）２８１を有していてもよい。
【０１０１】
変形例１に係る自動ワインダ１又は自動ワインダシステム５では、状態取得装置７０における音取得部７７、振動取得部７８及び温度取得部７９のそれぞれが常時情報を取得する構成であっても、記憶部８９に記憶させる情報を取捨選択したり、音取得部７７、振動取得部７８及び温度取得部７９のそれぞれが取得する情報を記憶部８９に記憶させる時間及びサンプリング周期を設定したりできるので、必要な情報のみを選択して記憶することができる。
【０１０２】
また、設定部２８１では、情報の種類毎に、情報のサンプリング周期及び測定時間を別々に設定することができる。例えば、温度取得部７９は遅い周期で１週間測定し、音取得部７７は中程度の周期で１０分間測定し、振動取得部７８は早い周期で５分測定する、といったような設定ができる。
【０１０３】
設定部２８１では、情報の取得（測定）を自動で開始させることもできる。例えば、スプライサの音を取得したい場合には、ユニット制御部６５が、スプライサの動作タイミング情報（例えばエアの供給を開始するタイミング）を、エアの供給開始前に状態取得装置７０に送信するようにすれば、設定部２８１は、その情報の受信をトリガーとして音取得部７７に音の測定を開始させることができる。つまり、状態取得装置７０は、ユニット制御部６５との通信によって、ユニット制御部６５に直接連動して作動する。または、状態取得装置７０が、例えば、別途設けられた動作検知センサの検知信号に基づいてエア吹き用駆動部の動作開始を検知するようにすれば、その検知をトリガーとして音取得部７７に音の測定を開始させることができる。つまり、状態取得装置７０は、エア吹き用駆動部の動作を検知することによって、ユニット制御部６５に間接連動して作動する。
【０１０４】
＜変形例２＞
上記実施形態の状態取得装置７０は、バッテリ８７と、記憶部８９とを有している例を挙げて説明したが、バッテリ８７を内蔵しないで状態取得装置７０の外部から電力が供給されるような構成としてもよい。また、状態取得装置７０は、記憶部８９を備えないで、例えば、音取得部７７、振動取得部７８及び温度取得部７９のそれぞれから取得される情報を報知（表示）可能な報知部を備える構成としてもよい。また、状態取得装置７０は、更にＣＰＵを搭載し、解析プログラムを記憶部８９に記憶させる等して、音取得部７７、振動取得部７８及び温度取得部７９のそれぞれが取得する情報を診断し、その診断結果を報知してもよい。
【０１０５】
第２実施形態に係る自動ワインダシステム５のように、状態取得装置７０の外部に、音取得部７７、振動取得部７８及び温度取得部７９のそれぞれから取得される情報を出力する構成とすれば、記憶部８９を内蔵する必要はない。
【０１０６】
＜変形例３＞
上記実施形態又は変形例に係る自動ワインダ１又は自動ワインダシステム５に備わる状態取得装置７０では、作業者が設定部（第１設定部）８１又は設定部（第２設定部）２８１を操作して（又は介して）、音取得部７７、振動取得部７８及び温度取得部７９における作動の有無を設定する例を挙げて説明したが、本発明は、これに限定されない。
【０１０７】
例えば、図７に示されるように、状態取得装置７０は、設定部８１及び／又は設定部２８１に代えて、取付部７３がどの被取付部９０に取り付けられたかという取付位置を特定する制御ユニット（取付位置特定部）１８１を有し、制御ユニット１８１が、特定した取付位置に基づいて複数の情報取得部（音取得部７７、振動取得部７８及び温度取得部７９）の中から作動する情報取得部を自動的に設定してもよい。
【０１０８】
上記実施形態で例を挙げると、例えば、クレードル５２に設けられた被取付部９０Ａに状態取得装置７０の取付部７３が取り付けられた場合には、制御ユニット１８１は、クレードル５２に設けられた被取付部９０Ａに取り付けられたことを自動的に認識するといった具合である。制御ユニット１８１は、被取付部９０Ａに取り付けられたことに基づいて、音取得部７７、振動取得部７８及び温度取得部７９の中から振動取得部７８のみが作動可能となるように設定する。
【０１０９】
被取付部９０Ａ，９０Ｂ、９０Ｃのそれぞれが有する４つの凸部９１には、選択的に、金属片が取り付けられている。例えば、被取付部９０Ａは、所定の一つの凸部９１に金属片が取り付けられ、被取付部９０Ｂは、所定の二つの凸部９１に金属片が取り付けられ、被取付部９０Ｃは、所定の三つの凸部９１に金属片が取り付けられている。取付部７３の孔部７３ａは、被取付部９０の凸部９１が嵌合された際に、金属を検知可能に構成されており、その検知情報を制御ユニット１８１に送信する。制御ユニット１８１は、当該検知情報を用いて、状態取得装置７０（取付部７３）が、どの被取付部９０Ａ，９０Ｂ、９０Ｃに取り付けられたかを特定する。制御ユニット１８１は、特定された被取付部９０Ａ，９０Ｂ，９０Ｃに基づいて、音取得部７７、振動取得部７８及び温度取得部７９における作動の有無を設定する。制御ユニット１８１は、例えば、ＣＰＵと、ＲＡＭと、ＲＯＭと、を有する電子回路である。上記ＲＯＭには、音取得部７７、振動取得部７８及び温度取得部７９の作動の有無を制御するためのプログラムが記録されている。
【０１１０】
なお、被取付部９０Ａ，９０Ｂ、９０Ｃの位置を特定するための方法は、上段にて説明したものに限定されない。例えば、状態取得装置７０は、例えば、被取付部９０Ａ，９０Ｂ，９０Ｃごとに配置された１次元又は２次元バーコード、ＩＣチップのリーダを備えていてもよい。また、状態取得装置７０が、気圧センサを備えることにより、取付位置の高さ情報を取得して、当該高さ情報に基づいて被取付部９０Ａ，９０Ｂ、９０Ｃの位置を特定してもよい。
【０１１１】
＜変形例４＞
上記実施形態及び変形例では、巻取部５１は、パッケージＰが綾振ドラム５５の回転に追従する、いわゆる従動回転構成のワインダユニット１０を例に挙げて説明したが、図９に示されるように、パッケージ駆動モータ２５９のモータ軸は、当該巻取ボビンＷＢと相対回転不能に連結される、いわゆる直接回転構成のワインダユニット２１０としてもよい。
【０１１２】
具体的には、巻取部２５１は、クレードル２５２と、接触ローラ２５３と、トラバース装置２５５と、ガイドプレート２５６と、を有しており、ユニット本体６０に支持されている。クレードル２５２は、巻取ボビンＷＢを着脱可能に支持する。接触ローラ２５３は、巻取ボビンＷＢの周面又はパッケージＰの周面に接触して回転可能に設けられている。トラバース装置２５５は、糸Ｙをトラバースさせる。トラバース装置２５５の例は、アーム式のトラバース装置である。ガイドプレート２５６は、上流側の糸Ｙをトラバース箇所へと案内する。ガイドプレート２５６の上流には、セラミック製のトラバース支点部２５７が設けられている。トラバース装置２５５は、このトラバース支点部２５７を支点として、図９の矢印に示す方向に糸Ｙをトラバースさせている。
【０１１３】
クレードル２５２は、回動軸Ａ３を中心に回動可能にユニット本体６０に支持されている。クレードル２５２は、巻取ボビンＷＢへの糸Ｙの巻取に伴うパッケージＰの糸層径の増大を、クレードル２５２が回動することによって吸収する。
【０１１４】
クレードル２５２には、サーボモータで構成されるパッケージ駆動モータ２５９が取り付けられている。パッケージ駆動モータ２５９は、巻取ボビンＷＢを回転駆動して、巻取ボビンＷＢに糸Ｙを巻き取る。パッケージ駆動モータ２５９のモータ軸は、巻取ボビンＷＢをクレードル２５２に支持させたときに、当該巻取ボビンＷＢと相対回転不能に連結されるようになっている。
【０１１５】
このような構成のワインダユニット２１０において、状態取得装置７０を取り付ける被取付部９０について説明する。図９に示されるように、第２実施形態のワインダユニット２１０は、クレードル２５２に設けられた被取付部９０Ａと、糸継装置３１近傍のユニット本体６０に設けられた被取付部９０Ｂと、を有している。
【０１１６】
このような構成のワインダユニット２１０を有する自動ワインダ１であっても、クレードル２５２から発生する振動を取得することができるので、取得した振動及び／又は振動の変化に基づいて、携帯端末７等は、クレードル２５２の異常の有無を診断することが可能になる。同様に、ワインダユニット２１０を有する自動ワインダ１では、糸継装置３１から発生する音を取得することができるので、取得した音及び／又は音の変化に基づいて、携帯端末７等は、糸継装置３１の異常の有無を診断することが可能になる。
【０１１７】
＜その他の変形例＞
上記実施形態又は変形例では、各ワインダユニット１０に２箇所の被取付部９０Ａ，９０Ｂが設けられ、機台フレーム１Ａに１箇所の被取付部９０Ｃが設けられている例を挙げて説明したが、本発明はこれに限定されない。本発明は、被取付部が設けられる箇所が自動ワインダ全体において複数あればよい。
【０１１８】
例えば、被取付部は、各ワインダユニット１０に１箇所設けられ、自動玉揚装置８に１箇所以上設けられ、機台フレーム１Ａには設けられないか、１箇所以上設けられてもよい。また、例えば、被取付部は、各ワインダユニット１０には設けられず、複数種の共通装置（例えば、自動玉揚装置８と、給糸ボビン供給装置（図示せず））にそれぞれ１箇所以上設けられ、機台フレーム１Ａには設けられないか、１箇所以上設けられてもよい。また、例えば、被取付部は、全ワインダユニット１０のうち、一部のワインダユニット１０（ただし、複数のワインダユニット１０）にのみ、設けられてもよい。また、例えば、被取付部が設けられている箇所数が互いに異なるワインダユニットが一台の自動ワインダの中に混在（例えば、１台の自動ワインダは、被取付部の複数箇所設けられたワインダユニットと、被取付部が１箇所設けられたワインダユニットと、被取付部が設けられないワインダユニットと、を有する。）してもよい。
【０１１９】
上記実施形態又は変形例では、複数の繊維処理ユニットに共通して設けられる共通装置として、自動玉揚装置８を例に挙げて説明したが、これに限定されない。例えば、複数のワインダユニットを有する自動ワインダの場合には、自動玉揚装置に代えて、又は加えて、給糸ボビン自動供給装置を備える構成であってもよい。
【０１２０】
上記実施形態又は変形例では、音取得部７７、振動取得部７８及び温度取得部７９が取得した音、振動及び温度に基づいて携帯端末７、機台管理部９、ユニット制御部６５、上位管理部３又は状態取得装置７０が異常診断等を実行する例を挙げて説明したが、本発明はこれに限定されない。例えば、携帯端末７、機台管理部９、ユニット制御部６５、上位管理部３又は状態取得装置７０は、音取得部７７、振動取得部７８及び温度取得部７９が取得した音、振動及び温度を、そのまま又は一部解析した内容を表示部等に表示するようにしてもよい。作業者は、表示部等に表示された内容を見て、ワインダユニット１０等の異常診断をすることができる。
【０１２１】
上記実施形態又は変形例では、音取得部７７、振動取得部７８及び温度取得部７９における作動の有無が設定される例、又は、音取得部７７、振動取得部７８及び温度取得部７９によって取得される音、振動及び温度を選択的に記憶させる例を挙げて説明したが、音取得部７７、振動取得部７８及び温度取得部７９を全て作動させ、音取得部７７、振動取得部７８及び温度取得部７９が取得する音、振動及び温度を記憶部８９に全て記憶させてもよい。
【０１２２】
上記実施形態又は変形例では、情報取得部として、音、振動、温度をそれぞれ取得する音取得部７７、振動取得部７８及び温度取得部７９を有する状態取得装置７０を例に挙げて説明したが、これに限定されない。例えば、情報取得部として、音情報取得可能なマイク、振動情報を取得可能な加速度センサ、気圧情報を取得可能な気圧センサ、静止画又は動画を取得可能なカメラ、電流値を取得可能な地磁気センサ、温度情報を取得可能な温度センサ、角速度情報を取得可能なジャイロセンサ、変位情報を取得可能な変位センサ、湿度情報を取得可能な湿度センサ等を、２つ以上有する状態取得装置７０であってもよい。
【０１２３】
音取得部７７、振動取得部７８及び温度取得部７９によって取得された音、振動及び温度について、例えば、一部（温度）を機台管理部９、ユニット制御部６５又は上位管理部３に送信する等して即時解析を行い、残り（音及び振動）を記憶部８９に記憶させることにより、所定のタイミングで異常診断、予知保全又はメンテナンスサポート（メンテナンス時期告知）を実施する等してもよい。
【０１２４】
被取付部９０には、凸部９１の代わりにネジ孔が形成されたボス等を一つ配置し、取付部７３には、孔部７３ａの代わりにネジ部を一つ設けてもよい。このネジをボスに螺合させることで、容易に状態取得装置７０を被取付部９０に取り付けることができる。また、取付部７３と被取付部９０とは互いに嵌合可能に形成される代わりに、取付部７３として両面テープのような粘着性部材又はマグネット等を配置してもよい。この場合であっても、粘着性部材の粘着力又はマグネットの磁力によって容易に状態取得装置７０を被取付部９０に取り付けることができる。この場合、被取付部９０は、所定面積を有する平面状の部位であること好ましい。また、マグネットを利用する場合には、被取付部９０は、磁力によって固着可能な部材である。また、被取付部９０は、作業者に対し、状態取得装置７０の取付方向（例えば上下方向）を示すことができる目印として機能させてもよい。
【０１２５】
上記実施形態又は変形例では、携帯端末７は、被取付部９０Ｃに取り付けられた状態取得装置７０によって取得される、自動ワインダ１近傍の周囲温度に基づいて、機械使用温度（設置環境条件）を満たしているか否かを判定する例を挙げて説明したが、例えば、モータの近傍に配置された被取付部に取り付けられた状態取得装置７０が取得する温度に基づいて、モータの発熱異常を検知したり、クレードルの近傍に配置された被取付部に取り付けられた状態取得装置７０が取得する温度に基づいて、クレードルのブッシュの摩耗を検知したりしてもよい。作業者は、携帯端末７の表示部等に表示される検知結果を見ることにより、モータ又はクレードルの状態を把握することができる。
【０１２６】
上記実施形態又は変形例では、被取付部９０（９０Ａ，９０Ｂ，９０Ｃ）に取り付けられる状態取得装置７０を備える例を挙げて説明したが、状態取得装置７０を備えない構成としてもよい。このような構成であっても、状態取得装置７０を、情報を取得したい箇所に該当する被取付部に取り付けるだけの容易な作業で、所望種類の情報を取得することが可能になる。この結果、事前に監視対象となる箇所又は取得する情報の種類を特定することなく、所望箇所における所望種類の情報を必要に応じて取得することができる。
【０１２７】
上記実施形態又は変形例に係る自動ワインダ１又は自動ワインダシステム５に備わる状態取得装置７０では、複数の情報取得部（音取得部７７、振動取得部７８及び温度取得部７９）の中から作動する情報取得部を設定するに際し、設定部（第１設定部）８１又は設定部（第２設定部）２８１による操作設定に代えて、制御ユニット１８１による自動設定を行う例を挙げて説明したが、本発明はこれに限定されない。例えば、設定部８１又は設定部２８１による操作設定に加えて、制御ユニット１８１による自動設定を可能にしてもよい。この場合であっても、設定部８１又は設定部２８１による操作設定と、制御ユニット１８１による自動設定との間で設定の優先順位を決定しておくことにより、設定の錯綜を回避できる。
【０１２８】
上記実施形態又は変形例では、繊維機械として、複数のワインダユニット１０を備える自動ワインダ１を例に挙げて説明したが、例えば、複数の紡績ユニットを備える紡績機であってもよい。紡績ユニットは、糸を供給する紡績装置（給糸部）及び紡績装置から供給された糸を巻き取ってパッケージを形成する巻取部を繊維処理部として少なくとも含んでいる。また、この場合の共通装置の例は、糸継台車である。糸継台車は、紡績ユニットの並ぶ方向に沿って走行可能に構成されており、糸が分断された紡績ユニットまで走行して、当該紡績ユニットにおいて糸継ぎを行うものである。また、紡績機に温度情報を取得可能な状態取得装置７０を取り付ければ、その情報を利用して紡績される糸の品質管理を行うことが可能になる。
【符号の説明】
【０１２９】
１…自動ワインダ（繊維機械）、１Ａ…機台フレーム、３…上位管理部、５…自動ワインダシステム（繊維機械システム）、７…携帯端末、８…自動玉揚装置（共通装置）、９…機台管理部、１０，２１０…ワインダユニット（繊維処理ユニット）、３１…糸継装置、５２…クレードル、５９…綾振ドラム駆動モータ、６５…ユニット制御部、７０…状態取得装置、７１…ケーシング、７３…取付部、７７…音取得部（情報取得部）、７８…振動取得部（情報取得部）、７９…温度取得部（情報取得部）、８１…設定部（第１設定部）、８３…出力部、８７…バッテリ、８９…記憶部、９０（９０Ａ，９０Ｂ，９０Ｃ）…被取付部、９１…凸部、９３…板部、９５…目印、１８１…制御ユニット、２８１…設定部（第２設定部）。
【図１】
2017065897.tif 000003
【図２】
2017065897.tif 000004
【図３】
2017065897.tif 000005
【図４】
2017065897.tif 000006
【図５】
2017065897.tif 000007
【図６】
2017065897.tif 000008
【図７】
2017065897.tif 000009
【図８】
2017065897.tif 000010
【図９】
2017065897.tif 000011